(57)【特許請求の範囲】
【請求項１】
目地部を介して設けられた左右の建物の一方の建物の天井躯体に吊り下げ具によって吊り下げ固定され、かつ先端部が目地部側端部まで所定の寸法を有するように設けられた天井材と、この天井材と対向する前記左右の建物の他方の建物の外壁面に固定された前記目地部を覆う目地天井カバーと、前記天井材の先端部に位置するように水平状態を維持でき、かつ先端部が上方へ回動できるように取付けられた、該天井材と前記目地天井カバーとの間を覆う可動天井目地カバーと、この可動天井目地カバーの先端部の上面に固定されたチャンネル状の受け具と、前記目地天井カバーの上部位置の前記他方の建物の外壁面に固定され、かつ地震で目地部が狭くなると前記受け具と係合して、前記可動天井目地カバーの先端部を前記目地天井カバーと衝突することなく、該可動天井目地カバーを上方へ回動させる回動アームとからなることを特徴とする天井用目地装置。
【請求項２】
可動天井目地カバーは通常状態では水平に位置するように、該可動天井目地カバーの先端部を天井躯体あるいは天井躯体に固定されたブラケットに取付けられたロープ、ワイヤー、チェーン等の可撓性の吊り具で吊り下げられていることを特徴とする請求項１記載の天井用目地装置。
【発明の詳細な説明】
【技術分野】
【０００１】
本発明は目地部を介して設けられた左右の建物の天井目地部を覆う天井用目地装置に関する。
【背景技術】
【０００２】
従来、この種の天井用目地装置は一方の建物の天井材の目地部側の端部に上面が傾斜面のせり上げ部を形成するとともに、この天井材と対向する他方の建物の壁面に後端部ヒンジ部材を介して回動可能に取付け、かつ先端部を前記天井材の傾斜面のせり上げ部に当接させるように位置させた目地天井カバーを設け、該目地天井カバーの前記他方の建物側の上面に後端部を固定し、先端部を該目地天井カバーの上面より離間させ、前記天井材と天井躯体との間の吊りガイドにスライド移動可能に少なくとも２個以上のせり上げカバー支持アームを支持させ、該少なくとも２個以上のせり上げカバー支持アームに形成された目地部が狭くなると前記吊りガイドにガイドされ、目地天井カバーを天井材の上方へ位置させて、その揺れ動きを吸収する、せり上げガイド部材とで構成されている。
【０００３】
このため、地震で目地部が狭くなると、目地天井カバーが天井材の傾斜面であるせり上げ部と当接して上方へガイドされた後、少なくとも２個以上のせり上げカバー支持アームに形成された、せり上げガイド部材が吊りガイドに案内されて天井材の上部に目地天井カバーを位置させる。
【０００４】
よって、目地天井カバーが地震で目地部が狭くなった場合、目地天井カバーと天井材とを衝突させて上方へ移動させるため、天井材や目地天井カバーが損傷しやすくなるという欠点があるとともに、目地天井カバーが目地部が狭くなった場合にヒンジ部を支点として回動し、目地部に位置する目地天井カバーが見苦しい位置状態になるという欠点があった。
【先行技術文献】
【特許文献】
【０００５】
【特許文献１】特許第３４０８１８１号
【発明の概要】
【発明が解決しようとする課題】
【０００６】
本発明は以上のような従来の欠点に鑑み、地震で目地部が狭くなるような揺れ動きが生じた場合に、目地天井カバーの先端部と可動天井目地カバーの先端部とが衝突することなく、可動天井目地カバーの先端部を上方へ回動させて、その揺れ動きを吸収することができる、構造が簡単で、容易に設置することができる天井用目地装置を提供することを目的としている。
【０００７】
また、本発明は左右の建物が異なる前後方向に揺れ動いた場合でも、受け具と回動アームの前後方向の遊びで、その揺れ動きを吸収することができる天井用目地装置を提供することを目的としている。
【０００８】
本発明の前記ならびにそのほかの目的と新規な特徴は次の説明を添付図面と照らし合わせて読むと、より完全に明らかになるであろう。
【０００９】
ただし、図面はもっぱら解説のためのものであって、本発明の技術的範囲を限定するものではない。
【課題を解決するための手段】
【００１０】
上記目的を達成するために、本発明は目地部を介して設けられた左右の建物の一方の建物の天井躯体に吊り下げ具によって吊り下げ固定され、かつ先端部が目地部側端部まで所定の寸法を有するように設けられた天井材と、この天井材と対向する前記左右の建物の他方の建物の外壁面に固定された前記目地部を覆う目地天井カバーと、前記天井材の先端部に位置するように水平状態を維持でき、かつ先端部が上方へ回動できるように取付けられた、該天井材と前記目地天井カバーとの間を覆う可動天井目地カバーと、この可動天井目地カバーの先端部の上面に固定されたチャンネル状の受け具と、前記目地天井カバーの上部位置の前記他方の建物の外壁面に固定され、かつ地震で目地部が狭くなると前記受け具と係合して前記可動天井目地カバーの先端部を前記目地天井カバーと衝突することなく、該可動天井目地カバーを上方へ回動させる回動アームとで天井用目地装置を構成している。
【発明の効果】
【００１１】
以上の説明から明らかなように、本発明にあっては次に列挙する効果が得られる。
（１）請求項１により、目地部が狭くなるように左右の建物が揺れ動くと、可動天井目地カバーの先端部が目地天井カバーと衝突することなく、回動アームによって受け具を上方へ移動させることにより、可動天井目地カバーを回動させ、その揺れ動きを吸収することができる。    
（２）前記（１）により、可動天井目地カバーの先端部の上面に固定された受け具と、他方の建物の外壁面に固定された回動アームで、可動天井目地カバーを回動させることができるので、構造が簡単で、容易に設置することができる。
（３）請求項２は前記（１）、（２）と同様な効果が得られるとともに、吊り具によって、左右の建物が異なる前後方向に揺れ動いた場合でも、その揺れ動きを吸収することができる。
【図面の簡単な説明】
【００１２】
【図１】本発明を実施するための第１の形態の底面図。
【図２】図１の２−２線に沿う断面図。
【図３】図２の３−３線に沿う断面図。
【図４】図２の４−４線に沿う断面図。
【図５】本発明を実施するための第１の形態の目地天井カバーの説明図。
【図６】本発明を実施するための第１の形態の回動アームの正面図。
【図７】本発明を実施するための第１の形態の回動アームの側面図。
【図８】本発明を実施するための第１の形態の受け具の説明図。
【図９】本発明を実施するための第１の形態の目地部が狭くなった動作説明図。
【図１０】本発明を実施するための第１の形態の目地部が広くなった動作説明図。
【図１１】本発明を実施するための第１の形態の異なる前後方向の動作説明図。
【図１２】本発明を実施するための第２の形態の底面図。
【図１３】図１２の１３−１３線に沿う断面図。
【図１４】図１２の１４−１４線に沿う断面図。
【図１５】本発明を実施するための第３の形態の底面図。
【図１６】図１５の１６−１６線に沿う断面図。
【図１７】図１５の１７−１７線に沿う断面図。
【発明を実施するための形態】
【００１３】
以下、図面に示す本発明を実施するための形態により、本発明を詳細に説明する。
【００１４】
図１ないし図１１に示す本発明を実施するための第１の形態において、１は目地部２を介して設けられた左右の建物３、３の天井目地部を覆う本発明の天井用目地装置で、この天井用目地装置１は前記左右の建物３、３の一方の建物３の天井躯体４に複数個の吊り下げ具５によって吊り下げ固定され、かつ先端部が目地部側端部まで所定寸法、例えば目地部２の幅寸法と同じ寸法を有するように設けられた天井材６と、この天井材６と対向する前記左右の建物３、３の他方の建物３の外壁面３ａに後端部が固定され、かつ先端部の上面に傾斜面７が形成された前記目地部２を覆う目地天井カバー８と、前記天井材６の先端部にヒンジ部材９を介して水平状態で維持でき、かつ下面に傾斜面１０が形成された先端部が上方へ回動できるように取付けられた、該天井材６と前記目地天井カバー８との間を覆う可動天井目地カバー１１と、この可動天井目地カバー１１の先端部の上面に固定されたチャンネル状の受け具１２と、前記目地天井カバー８の上部位置の前記他方の建物３の外壁面３ａに固定された、地震で目地部２が狭くなると前記受け具１２と係合して前記可動天井目地カバー１１の先端部を、前記目地天井カバー８と衝突することなく、該可動天井目地カバー１１を上方へ回動させる回動アーム１３と、前記ヒンジ部材９で前記可動天井目地カバー１１を水平状態に十分に保持できない場合に使用される、該可動天井目地カバー１１の上部先端部と該部位と対向する部位の前記天井躯体４に固定されたロープ、ワイヤー、チェーン等の可撓性の吊り具１４とで構成されている。
【００１５】
前記天井材６は複数個の吊り下げ具５で直接吊り下げられたものであってもよく、複数個の吊り下げ具５で吊り下げられた天井下地材に天井化粧板を固定したものを用いてもよい。
【００１６】
前記受け具１２は前記回動アーム１３が前後方向へ移動できる幅寸法に形成されたチャンネル状で両端部が外方へ突出するビス１５で可動天井目地カバー１１の先端部に取付けられる取付部１６、１６を有する受け具本体１７と、この受け具本体１７の水平部材１７ａに回転可能に取付けられたローラー１８とで構成されている。
【００１７】
前記回動アーム１３は先端部の上面が地震で目地部が狭くなる時、可動天井目地カバー１１の先端部が目地天井カバー８の先端部に衝突する前に上方へ回動できるように前記受け具１２のローラー１８に当接しているとともに、傾斜面１９に形成され、傾斜状態で他方の建物３の外壁面３ａに固定されている。
【００１８】
上記構成の天井用目地装置１は通常時には図１および図２に示すように、天井材６、可動天井目地カバー１１および目地天井カバー８がほぼ平坦状態に位置して天井目地部２を覆っている。
【００１９】
地震により目地部２が狭くなるように左右の建物３、３である一方の建物３と
他方の建物３が揺れ動くと、図９に示すように可動天井目地カバー１１の先端部が目地天井カバー８の先端部と衝突する前に、回動アーム１３の先端部が受け具１２のローラー１８の下部へ入り込んで、該可動天井目地カバー１１を回動アーム１３の傾斜面１９に沿って上方へ回動させ、その揺れ動きを吸収する。
【００２０】
地震により目地部２が広くなるように一方の建物３と他方の建物３が揺れ動くと、図１０に示すように可動天井目地カバー１１と目地天井カバー８とが離れるように移動して、その揺れ動きを吸収する。
【００２１】
地震により一方の建物３と他方の建物３とが異なる前後方向に揺れ動いた場合、図１１に示すように可動天井目地カバー１１と目地天井カバー８とが異なる前後方向に移動するが、回動アーム１３が受け具１２内を前後方向にスライド移動して、その揺れ動きを吸収する。
【００２２】
なお、地震での揺れ動きが停止すると、可動天井目地カバー１１が天井材６に取付けられているとともに、水平状態を維持するために可撓性の吊り具１４で支持された状態で一方の建物３に取付けられており、また目地天井カバー８は他方の建物３の外壁面３ａに固定されているため、自動的に元の状態へ戻る。
【００２３】
[発明を実施するための異なる形態]
次に、図１２ないし図１７に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２４】
図１２ないし図１４に示す本発明を実施するための第２の形態において、前記本発明を実施するための第１の形態と主に異なる点は、天井材６の目地部側端部を天井躯体４に固定する吊り下げ具５にヒンジ部材９を介して可動天井目地カバー１１を天井材６と平坦になるように取付けるとともに、該可動天井目地カバー１１の先端部と前記吊り下げ具５の上端部との間に傾斜状態で可撓性の吊り具１４Ａを取付けた点で、このように構成した天井用目地装置１Ａにしても、前記本発明を実施するための第１の形態と同様な作用効果が得られる。
【００２５】
なお、本発明の実施の形態でも、前記本発明を実施するための第１の形態と同様に天井躯体４より垂直に配置した可撓性の吊り具１４を用いてもよい。
【００２６】
図１５ないし図１７に示す本発明を実施するための第３の形態において、前記本発明を実施するための第１の形態と主に異なる点は、天井材６と天井躯体４との間の寸法が大きい場合、吊り下げ具５、５にブラケット２０、２０を固定し、該ブラケット２０、２０の先端部と可動天井目地カバー１１の先端部との間に可撓性の吊り具１４を取付けた点で、このように構成された天井用目地装置１Ｂにしても、前記本発明を実施するための第１の形態と同様な作用効果が得られる。
【００２７】
なお、天井用目地装置２が長い寸法の場合、可動天井目地カバー１１の先端部に所定間隔で複数個の受け具１２を固定し、該複数個の受け具１２と係合する回動アーム１３を他方の建物３の外壁面３ａにそれぞれ設けたものにしても、前記本発明を実施するための各形態と同様な作用効果が得られる。
【産業上の利用可能性】
【００２８】
本発明は目地部を介して設けられた左右の建物の目地部の天井部分を覆う天井用目地装置を製造する産業で利用される。
【符号の説明】
【００２９】
１、１Ａ、１Ｂ：天井用目地装置、
２：目地部、            ３：建物、
４：天井躯体、          ５：吊り下げ具、  
６：天井材、            ７：傾斜面、
８：目地天井カバー、    ９：ヒンジ部材、
１０：傾斜面、        １１：可動天井目地カバー、
１２：受け具、        １３：回動アーム、
１４、１４Ａ：可撓性の吊り具、  １５：ビス、
１６：取付部、        １７：受け具本体、
１８：ローラー、      １９：傾斜面、
２０：ブラケット。
【図１】
0005390342.tif 000002
【図２】
0005390342.tif 000003
【図３】
0005390342.tif 000004
【図４】
0005390342.tif 000005
【図５】
0005390342.tif 000006
【図６】
0005390342.tif 000007
【図７】
0005390342.tif 000008
【図８】
0005390342.tif 000009
【図９】
0005390342.tif 000010
【図１０】
0005390342.tif 000011
【図１１】
0005390342.tif 000012
【図１２】
0005390342.tif 000013
【図１３】
0005390342.tif 000014
【図１４】
0005390342.tif 000015
【図１５】
0005390342.tif 000016
【図１６】
0005390342.tif 000017
【図１７】
0005390342.tif 000018